(57)【要約】【課題】  小荷物の受け渡し可能な開度まで扉を開いたときに、通常の大人が容易に乗り越えることができない程度の高さを有する防御柵が扉の開放部分に形成するようにし、これにより犯行者の侵入意欲を損なわしめることのできる防犯扉者を提供するを提供する。【解決手段】  扉Ａの背面に防御柵１が設けられ、該防御柵１は折り畳み並びに展開可能な部材で形成されてその一端が垂直な枢軸を持つヒンジ部材２を介して扉Ａに連結され、防御柵１の他端には固定壁面Ｂに設けたキャッチ３に回動可能な状態で着脱自在に連結するためのキャッチ片４が設けられ、前記防御柵１は大人が容易に乗り越えて侵入できない程度の高さで形成されている構造。【選択図】図１
2005171704.tif 000002
【特許請求の範囲】
【請求項１】
扉(A)の背面下部に防御柵(1)が設けられ、該防御柵(1)は折り畳み並びに展開可能な部材で形成されてその一端が垂直な枢軸を持つヒンジ部材(2)を介して扉(A)に連結され、防御柵(1)の他端には固定壁面(B)に設けたキャッチ(3)に回動可能な状態で着脱自在に連結するためのキャッチ片(4)が設けられ、前記防御柵(1)は大人が容易に乗り越えることができない程度の高さで形成されている防犯扉。
【請求項２】
前記防御柵(1)が二つ折り又は三つ折りの板状材で形成されている請求項１に記載の防犯扉。
【請求項３】
前記防御柵(1)が蛇腹状部材で形成されている請求項１に記載の防犯扉。
【請求項４】
前記キャッチ片(4)がキャッチ(3)に連結した状態に於いて扉(A)が小荷物の受け渡し可能な略半開きの姿勢まで回動できるように防御柵(1)の展開時の全長が設定されている請求項１〜３に記載の防犯扉。
【発明の詳細な説明】
【技術分野】
【０００１】
本発明は、建物の玄関扉として使用される防犯扉に関するものである。
【背景技術】
【０００２】
従来、マンション等の集合住宅の玄関扉には扉を少し開いた状態で外来者の侵入を防ぐための鎖錠が備えられている。これは来訪者を確認したり、小さな郵便物の受け渡しには都合がよいが、宅急便等の小荷物等の受け渡しには扉の開度が小さすぎて無理である。しかし近年、小荷物配達人を装って扉を全開させ、開放したときに強引に家宅侵入する犯罪が増加し問題となっている。
【発明の開示】
【発明が解決しようとする課題】
【０００３】
そこで本発明は、小荷物の受け渡し可能な開度まで扉を開いたときに、通常の大人が容易に乗り越えることができない程度の高さを有する防御柵が扉の開放部分に形成するようにし、これにより犯意を減衰させると共に、防御柵を乗り越えて強引に侵入しようとしても労力と時間を必要としてその間にアラーム等の防犯システムをＯＮさせたり、大声を発する等して侵入意欲を損なわしめることのできる新規な防犯扉者を提供することを主たる目的とするものである。
【課題を解決するための手段】
【０００４】
上記目的を達成する為に本発明では次のような技術的手段を講じた。即ち、本発明に係る防犯扉にあっては、扉Ａの背面に防御柵１が設けられ、該防御柵１は折り畳み並びに展開可能な部材で形成されてその一端が垂直な枢軸を持つヒンジ部材２を介して扉Ａに連結され、防御柵１の他端には固定壁面Ｂに設けたキャッチ３に回動可能な状態で着脱自在に連結するためのキャッチ片４が設けられ、前記防御柵１は大人が容易に乗り越えて侵入できない程度の高さで形成されている構造とした。
【０００５】
前記防御柵１は中間ヒンジ５を介して二つ折り又は三つ折りにされた板状材１ａ、１ｂ、１ｃで形成したり、或いは展開可能な蛇腹状部材１ｄで形成することが可能である。
【０００６】
また防御柵１は、キャッチ片４によりキャッチ３に連結された状態に於いて扉Ａが小荷物の受け渡し可能な略半開きの姿勢まで回動できるようにその展開時の全長を予め設定されている。
【０００７】
また、前記キャッチ３とキャッチ片４との係合が扉外部から容易に外すことができないように配慮するのがよい。
【発明の効果】
【０００８】
本発明では、小荷物の受け渡し可能な開度まで扉を開いたときに、通常の大人が容易に乗り越えて侵入することができない程度の高さを有する防御柵が扉の開放部分に形成されるので、来訪者の犯行意欲を著しく減衰させることができ、また防御柵を乗り越えて強引に侵入しようとしても労力と時間を必要としてその間にアラーム等の防犯システムをＯＮさせたり、大声を発する等して第三者に通知したり、或いはベランダや裏口から逃れるための時間をとることができるとともに、犯人の侵入行為を中断させることができる、といった効果がある。
【実施例】
【０００９】
以下、本発明の防犯扉を各実施例に基ずき説明する。図１並びに図２は本発明の第１実施例を示すもので、玄関の扉Ａの背面に防御柵１が設けられている。この防御柵１は、中間ヒンジ５を介して展開自在に二つ折りされた２枚の板状部材２ａ、２ｂによって形成され、その一端が垂直な枢軸を持つヒンジ部材２によって扉Ａに連結されている。また防御柵１の他端には固定壁面Ｂに設けたキャッチ３に回動可能な状態で着脱自在に連結するためのキャッチ片４が設けられている。更に、前記防御柵１は通常の大人が容易に乗り越えて侵入できない程度の高さ、例えば大人の胸部付近までの高さで形成され、上方部は開放されている。
【００１０】
防御柵１を構成する板状部材１ａ、１ｂは金属材、木材、合成樹脂材を問わないが、容易に破損したり、屈曲しない丈夫な構造で形成する必要がある。また、透明或いは半透明の合成樹脂板や強化ガラス板で形成するのが外観上このましい。また、クロス状や縦、横の桟を組み込んで形成することにより美観と軽量化を図るのもよい。
【００１１】
前記防御柵の２枚の板状部材２ａ、２ｂは折り畳まれた状態に於いて、例えばマグネットキャッチ等のキャッチ部材６によってその折り畳み姿勢が保持されている。また、防御柵１の他端に設けられたキャッチ片４は、例えば図３に示すように、キャッチ３の係合孔３ａに対して嵌合軸部４ａが枢軸４ｂを介して回動することによって係合、離反できるようにしたり、或いは図４に示すように、嵌合軸部４ａを鎖４ｃによって防御柵１に連結して嵌合軸部４ａを手で係合孔３ａに抜き差しできるように形成することができる。この場合、キャッチ３に対してキャッチ片４の係合は容易であるが、取り外しが扉Ａの外側からは困難となるように、例えばその取付位置を防御柵１の下方部に設置するのがよい。また別途に、キャッチ３に鍵によって開錠する錠機能を組み込んでもよい。
【００１２】
上記の防犯扉では、防御柵１のキャッチ片４をキャッチ３に差し込んで扉１を半開きすると、これに連動して扉の開放部分に防御柵１が形成される。この防御柵１は通常の大人が容易に乗り越えて侵入することができない程度の高さで形成され、上部が開放されているから小荷物等の受け渡しが容易にできると共に、侵入等の犯行意欲を著しく減衰させることができる。扉１を閉じたときは防御柵１を元の折り畳み姿勢に戻しておけばよい。
【００１３】
以上本発明の代表的と思われる実施例について説明したが、本発明は必ずしもこれらの実施例構造のみに限定されるものではない。例えば上記実施例では、防御柵を二つ折りにした例を示したが、図５に示すように３枚の板状材１ａ、１ｂ、１ｃで３つ折りに形成すしてもよい。更に本発明では、図６並びに図７に示すように、防御柵１を蛇腹状部材で形成してその一端をヒンジ部材２を介して扉１に連結し、他端にキャッチ片４を設けた構造とすることも可能である。その他本発明では、その構成要件を備え、かつ本発明の目的を達成し、上記の効果を奏する範囲内において適宜改変して実施できるものである。
【図面の簡単な説明】
【００１４】
【図１】本発明に係る防犯扉の第１実施例を示す断面図。
【図２】上記防犯扉を開いた状態を示す斜視図。
【図３】上記防犯扉におけるキャッチとキャッチ片部分を示す一部断面正面図。
【図４】上記防犯扉におけるキャッチとキャッチ片部分の他の実施例を示す一部断面正面。
【図５】本発明に係る防犯扉の別の実施例を示す断面図。
【図６】本発明に係る防犯扉の更に別の実施例を示す断面図。
【図７】図６で示した実施例の動作を示す断面図。
【符号の説明】
【００１５】
Ａ  扉
Ｂ  固定壁
１  防御柵
１ａ、１ｂ、１ｃ  板材
２  ヒンジ部材
３  キャッチ
４  キャッチ片
５  中間ヒンジ
【図１】
2005171704.tif 000003
【図２】
2005171704.tif 000004
【図３】
2005171704.tif 000005
【図４】
2005171704.tif 000006
【図５】
2005171704.tif 000007
【図６】
2005171704.tif 000008
【図７】
2005171704.tif 000009